(57)【要約】      （修正有）【課題】取り扱いを容易なものとすることができるドレン水蒸発装置を提供する。【解決手段】商品を収容する収容室で生じたドレン水を貯留することが可能なドレン皿５０を備えたドレン水蒸発装置４０であって、毛管現象によりドレン水を吸引可能な上下一対の第１シート６１と、第１シート６１の相互間において互いに離隔する態様で左右方向に沿って並ぶよう立設され、かつ毛管現象によりドレン水を吸引可能な第２シート６２とが一体的に構成され、第１シート６１の一方がドレン皿５０に接した状態で第２シート６２相互間に空気が通過可能に配設されたドレン蒸発体６０を備えている。【選択図】図２
2016169926.tif 000002
【特許請求の範囲】
【請求項１】
商品を収容する収容空間で生じたドレン水を貯留することが可能なドレン皿を備えたドレン水蒸発装置であって、
毛管現象により前記ドレン水を吸引可能な上下一対の第１シートと、
前記第１シートの相互間において互いに離隔する態様で左右方向に沿って並ぶよう立設され、かつ毛管現象により前記ドレン水を吸引可能な第２シートと
が一体的に構成されることでダクト構造を有し、前記第１シートの一方が前記ドレン皿に接した状態で前記第２シート相互間に空気が通過可能に配設されたドレン蒸発体を備えたことを特徴とするドレン水蒸発装置。
【請求項２】
前記ドレン蒸発体は、上面を構成する前記第１シートに前記収容空間からのドレン水が滴下されるよう前記ドレン皿に配設されたことを特徴とする請求項１に記載のドレン水蒸発装置。
【請求項３】
前記第２シートは、後端部が前記第１シートよりも後方に突出することで上方部及び下方部が露出しており、
前記第２シートの後方部及び前記後端部の上方部の少なくとも一方に配設され、かつ駆動することにより前記第２シート相互間に前記ドレン蒸発体の前方域より吸い込んだ空気を通過させる送風手段を備えたことを特徴とする請求項１又は請求項２に記載のドレン水蒸発装置。
【請求項４】
前記ドレン皿に立設され、かつ前記第２シート相互間に進入する位置決め部材を備えたことを特徴とする請求項１〜３のいずれか１つに記載のドレン水蒸発装置。
【発明の詳細な説明】
【技術分野】
【０００１】
本発明は、ドレン水蒸発装置に関するものである。
【背景技術】
【０００２】
従来、商品を収容する収容空間で生じたドレン水を処理するための装置として、ドレン皿とドレンシートとを備えたものが知られている。ドレン皿は、ドレン皿を貯留するためのものである。ドレンシートは、複数設けられており、それぞれが毛管現象によりドレン水を吸引することが可能なものである。これらドレンシートは、それぞれが互いに離隔するよう所定方向に沿って並ぶようドレン皿に立設されている。
【０００３】
このようなドレン水蒸発装置においては、蒸発皿に貯留されたドレン水が各ドレンシートに毛管現象により吸引され、これらドレンシート相互間を空気が通過することによってドレン水を蒸発させて処理している。
【０００４】
そして、上記ドレン水蒸発装置においては、各ドレンシートの蒸発利用度を向上させる目的で、各ドレンシートの上端部同士及び中央部同士を連結して略水平方向に沿って延在する蒸発板を備えたものが知られている（例えば、特許文献１参照）。
【先行技術文献】
【特許文献】
【０００５】
【特許文献１】特開平７−１３３９７７号公報
【発明の概要】
【発明が解決しようとする課題】
【０００６】
ところで、上述した特許文献１に提案されているドレン水蒸発装置では、各ドレンシートの上端部同士及び中央部同士を連結する蒸発板が設けられていたので、各ドレンシートの蒸発利用度を向上させるためには、常にドレンシートの上端部が上方側となるようにドレンシートをドレン皿に配設する必要がある。つまり、各ドレンシートの上端部が蒸発皿に接するようドレンシートを上下反転させて配置させてしまうと、蒸発利用度を向上させるという目的を達成することができない。
【０００７】
このことは、上記ドレン水蒸発装置においては、ドレンシートの上下の向きを間違えないようにしてドレン皿に配設する必要があり、ドレン皿に貯留されたドレン水を排出する等の作業時において取り扱いが煩雑なものとなってしまうという問題があった。
【０００８】
本発明は、上記実情に鑑みて、取り扱いを容易なものとすることができるドレン水蒸発装置を提供することを目的とする。
【課題を解決するための手段】
【０００９】
上記目的を達成するために、本発明に係るドレン水蒸発装置は、商品を収容する収容空間で生じたドレン水を貯留することが可能なドレン皿を備えたドレン水蒸発装置であって、毛管現象により前記ドレン水を吸引可能な上下一対の第１シートと、前記第１シートの相互間において互いに離隔する態様で左右方向に沿って並ぶよう立設され、かつ毛管現象により前記ドレン水を吸引可能な第２シートとが一体的に構成されることでダクト構造を有し、前記第１シートの一方が前記ドレン皿に接した状態で前記第２シート相互間に空気が通過可能に配設されたドレン蒸発体を備えたことを特徴とする。
【００１０】
また本発明は、上記ドレン水蒸発装置において、前記ドレン蒸発体は、上面を構成する前記第１シートに前記収容空間からのドレン水が滴下されるよう前記ドレン皿に配設されたことを特徴とする。
【００１１】
また本発明は、上記ドレン水蒸発装置において、前記第２シートは、後端部が前記第１シートよりも後方に突出することで上方部及び下方部が露出しており、前記第２シートの後方部及び前記後端部の上方部の少なくとも一方に配設され、かつ駆動することにより前記第２シート相互間に前記ドレン蒸発体の前方域より吸い込んだ空気を通過させる送風手段を備えたことを特徴とする。
【００１２】
また本発明は、上記ドレン水蒸発装置において、前記ドレン皿に立設され、かつ前記第２シート相互間に進入する位置決め部材を備えたことを特徴とする。
【発明の効果】
【００１３】
本発明によれば、ドレン蒸発体は、毛管現象によりドレン水を吸引可能な上下一対の第１シートと、これら第１シートの相互間において互いに離隔する態様で左右方向に沿って並ぶよう立設され、かつ毛管現象によりドレン水を吸引可能な第２シートとが一体的に構成されてダクト構造を有しており、第１シートの一方がドレン皿に接した状態で第２シート相互間に空気が通過可能に配設されているので、ドレン蒸発体を上下反転させて配置しても第１シートの他方がドレン皿に接した状態で配設されるだけダクト構造を維持することができる。つまり、ドレン蒸発体を上下反転させてもドレン蒸発体の蒸発能力は変化しない。従って、ドレン蒸発体の上下姿勢を特に気にせずに取り扱うことができ、取り扱いを容易なものとすることができるという効果を奏する。
【図面の簡単な説明】
【００１４】
【図１】図１は、本発明の実施の形態であるドレン水蒸発装置が適用されたショーケースの断面側面図である。
【図２】図２は、図１に示したドレン水蒸発装置を拡大して模式的示す断面図である。
【図３】図３は、図１に示したドレン水蒸発装置を前方側から模式的に示す断面図である。
【発明を実施するための形態】
【００１５】
以下に添付図面を参照して、本発明に係るドレン水蒸発装置の好適な実施の形態について詳細に説明する。
【００１６】
図１は、本発明の実施の形態であるドレン水蒸発装置が適用されたショーケースの断面側面図である。ここで例示するショーケースは、ケース本体１０を備えている。
【００１７】
ケース本体１０は、略直方状の筐体であり、断熱構造を有する収容室（収容空間）１０ａと、該収容室１０ａの下方域に設けられた機械室１０ｂとが設けられている。収容室１０ａは、前面開口１１が形成され、その内部には収納室１２が画成されているとともに、空気循環手段２０が設けられている。
【００１８】
収納室１２は、上記前面開口１１を臨む態様で画成された室であり、複数の商品陳列棚１３が上下方向に沿って複数段並べて配設されている。
【００１９】
空気循環手段２０は、空気通路２１と循環ファン２２とを備えて構成されている。空気通路２１は、吸込口２３から吹出口２４に至る空気の通路である。ここで吸込口２３は、収納室１２の内部の空気を吸い込むための開口であり、収納室１２の左右方向に沿って延設されている。この吸込口２３は、収納室１２の下側前方縁部、すなわちケース本体１０の前面開口１１近傍の下部に配設されている。吹出口２４は、収納室１２の内部に空気を吹き出すための開口である。この吹出口２４は、収納室１２の左右方向に沿って延設してあり、収納室１２の上側前方縁部、すなわちケース本体１０の前面開口１１近傍の上部に配設されている。
【００２０】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとを互いに連通した態様で構成されている。
【００２１】
循環ファン２２は、空気を循環させるものであり、下方ダクト２１ａの所定部位に配設されている。本実施の形態においては、循環ファン２２は、下方ダクト２１ａの所定部位に配設されているが、本発明では、循環ファンの配設部位は特に限定されるものではなく、後述する循環ファンの機能を発揮することができる個所であればどの部位に配設しても構わない。
【００２２】
このような空気循環手段２０においては、循環ファン２２が駆動することにより吸込口２３を通じて収納室１２の内部にある空気（内部空気）を吸い込み、吸い込んだ空気が空気通路２１を通過する態様で吹出口２４まで送出し、吹出口２４を通じて送出した空気を収納室１２の内部に吹き出すことにより、収納室１２の内部と外部との間で空気を循環させるものである。
【００２３】
上記空気通路２１の背面ダクト２１ｂには、蒸発器２５が設けられている。蒸発器２５は、機械室１０ｂに配設された圧縮機（図示せず）、凝縮器２６及び膨張弁（図示せず）とともに冷媒を循環させる冷媒循環手段を構成している。ここで圧縮機は、冷媒を圧縮するものであり、凝縮器２６は、圧縮機で圧縮された冷媒を凝縮させるものである。膨張弁は、凝縮器２６で凝縮した冷媒を断熱膨張させて低温低圧の状態にさせるものである。
【００２４】
蒸発器２５は、循環ファン２２が駆動することにより背面ダクト２１ｂを下方から上方に向けて通過する空気と、膨張弁で断熱膨張された冷媒とを熱交換させるもの、より詳細には、冷媒を蒸発させることにより背面ダクト２１ｂ（空気通路２１）を通過する空気を冷却するものである。この蒸発器２５で蒸発した冷媒は、再び圧縮機に戻り圧縮されることになる。
【００２５】
機械室１０ｂは、収容室１０ａの下方域に設けられており、前後左右が閉塞されている。この機械室１０ｂの前面には外気を導入するための外気導入口３１が形成されている。また機械室１０ｂには、排出ダクト３２が連通している。排出ダクト３２は、空気通路２１の背面ダクト２１ｂの背面側において該背面ダクト２１ｂとは区画されて設けられており、上下方向に沿って連通している。この排出ダクト３２は、下部に排気導入口３３が形成されており、上部に排出口３４が形成されている。排気導入口３３は、機械室１０ｂに連通する開口である。排出口３４は、排出ダクト３２を通過した空気を外部に排出するための開口である。
【００２６】
この機械室１０ｂと収納室１２とを区画する断熱底部１５には、ドレン用配管３５及びドレンガイド３６が設けられている。
【００２７】
ドレン用配管３５は、上記断熱底部１５を上下方向に沿って貫通する態様で形成されている。このドレン用配管３５の上部開口は入口となっており、当該入口がケース本体１０の収容室１０ａ（下方ダクト２１ａ）に連通している。一方、ドレン用配管３５の下部開口は出口となっている。このようなドレン用配管３５は、入口から導入したドレン水を通過させて出口より排出するものである。
【００２８】
ドレンガイド３６は、断熱底部１５の下面において、ドレン用配管３５の出口を覆うように設けられている。このドレンガイド３６は、ドレン用配管３５の出口より排出されたドレン水を、自身に形成された滴下口３６ａより下方に向けて滴下させるものである。
【００２９】
このような機械室１０ｂには、ドレン水蒸発装置４０が設けられている。図２は、図１に示したドレン水蒸発装置４０を拡大して模式的示す断面図であり、図３は、図１に示したドレン水蒸発装置４０を前方側から模式的に示す断面図である。これら図２及び図３を適宜参照してドレン水蒸発装置４０について説明する。
【００３０】
ドレン水蒸発装置４０は、ドレン皿５０、ドレン蒸発体６０、送風ユニット７０とを備えて構成されている。ドレン皿５０は、機械室１０ｂの底壁部に載置されている。このドレン皿５０は、ドレン水を貯留するためのものである。かかるドレン皿５０には、複数（図示の例では２つ）の位置決め板（位置決め部材）５１が設けられている。位置決め板５１は、ドレン皿５０の後部においてドレン皿５０の皿底部５０ａや皿側部５０ｂに連続する態様で左右に並ぶよう立設されている。
【００３１】
ドレン蒸発体６０は、第１シート６１及び第２シート６２を備えて構成されている。第１シート６１は、複数（図示の例では２つ）設けられており、それぞれが例えば不織布等のように毛管現象によりドレン水を吸引可能なものである。このような第１シート６１は、互いに対向する態様で上下一対に配置されている。
【００３２】
第２シート６２は、複数設けられており、それぞれが例えば不織布等のように毛管現象によりドレン水を吸引可能なものである。このような第２シート６２は、上記第１シート６１の相互間において互いに所定間隔毎に離隔する態様で左右方向に沿って並ぶよう立設されている。つまり、第２シート６２は、それぞれの上端が一方の第１シート６１の下面に連続するよう接し、かつそれぞれの下端が他方の第１シート６１の上面に連続するよう接した状態で、左右方向に沿って立設されている。また、第２シート６２の各後端部は、第１シート６１よりも後方に突出している。これにより、第２シート６２の各後端部における上方部及び下方部が露出している。これによりドレン蒸発体６０は、第１シート６１及び第２シート６２により空気の通風路であるダクト構造を有している。
【００３３】
このような構成を有するドレン蒸発体６０は、一方の第１シート６１が皿底部５０ａに接した状態で、かつ位置決め板５１がいずれかの第２シート６２の後端部における相互間に進入することでドレン皿５０に配設されている。この場合において、ドレン蒸発体６０は、ドレンガイド３６の下方域に配設されており、すなわちドレンガイド３６からのドレン水が他方の第１シート６１、すなわち上面を構成する第１シート６１に滴下されるよう配設されている。尚、図中の符号６３は、第２シート６２相互間の間隔を保持するための保持部材である。
【００３４】
送風ユニット７０は、複数（図示の例では２つ）設けられており、第１送風ファン（送風手段）７１と第２送風ファン（送風手段）７２とを備えている。
【００３５】
第１送風ファン７１は、ドレン蒸発体６０における第２シート６２の後端部の上方部に設けられている。第２送風ファン７２は、ドレン蒸発体６０における第２シート６２の後方部に設けられている。これら第１送風ファン７１及び第２送風ファン７２は、駆動することにより外気導入口３１より導入された外気がドレン蒸発体６０の第２シート６２相互間を通過させるものである。尚、このドレン蒸発体６０と送風手段（第１送風ファン７１及び第２送風ファン７２）との間に隙間が生ずる場合には、適宜マイラー（登録商標）シート等の樹脂製のシートで隙間を塞ぐようにしている。
【００３６】
以上のような構成を有するドレン水蒸発装置４０においては、ドレンガイド３６からのドレン水がドレン蒸発体６０の上面を構成する第１シート６１に滴下されることで、該第１シート６１やこれに接する第２シート６２のそれぞれにドレン水が毛管現象により吸引される。このドレン蒸発体６０で吸引できなかったドレン水はドレン皿５０に貯留される。つまり、ドレン蒸発体６０は、全体的にドレン水により濡れている。
【００３７】
そして、送風ユニット７０を構成する第１送風ファン７１及び第２送風ファン７２が駆動することにより、外気導入口３１から導入された外気（空気）がドレン蒸発体６０に進入すると、上下一対の第１シート６１により上方及び下方への移動が規制された状態で第２シート６２の相互間を通過することでドレン蒸発体６０に吸引されたドレン水の一部が蒸発するとともに、ドレン皿５０に貯留するドレン水も一部が蒸発する。各第２シート６２の相互間を通過した空気は、排気導入口３３と通じて排出ダクト３２に至り、該排出ダクト３２を通過した後に排出口３４より外部に排出されることで、ドレン蒸発体６０に吸引されたドレン水及びドレン皿５０に貯留されるドレン水を徐々に蒸発することができる。
【００３８】
以上説明したような本実施の形態であるドレン水蒸発装置４０によれば、ドレン蒸発体６０は、上下一対の第１シート６１と、これら第１シート６１の相互間において左右方向に沿って並ぶよう立設された第２シート６２とが一体的に構成されてダクト構造を有しており、一方の第１シート６１が皿底部５０ａに接した状態で第２シート６２相互間に空気が通過可能にドレン皿５０に配設されているので、ドレン蒸発体６０を上下反転させて配置してもダクト構造を維持して他方の第１シート６１が皿底部５０ａに接した状態でドレン皿５０に配設されるだけである。つまり、ドレン蒸発体６０を上下反転させてもドレン蒸発体６０の蒸発能力は変化しない。従って、ドレン蒸発体６０の上下姿勢を特に気にせずに取り扱うことができ、作業時等における取り扱いを容易なものとすることができる。
【００３９】
上記ドレン水蒸発装置４０によれば、ドレン蒸発体６０が、ドレンガイド３６を通じて収容室１０ａからのドレン水が該ドレン蒸発体６０の上面を構成する一方の第１シート６１に滴下されるようドレン皿５０に配設されているので、ドレン蒸発体６０の上部、すなわち各第２シート６２の上端部分や上面を構成する一方の第１シート６１にもドレン水を吸引させて蒸発させることができる。この結果、ドレン水の蒸発に寄与する面積を増大させることができ、蒸発量の増大化を図ることができる。
【００４０】
上記ドレン水蒸発装置４０によれば、ドレン皿５０に位置決め板５１が立設されているので、上記ドレン蒸発体６０を前後反転させた場合には、ドレン蒸発体６０の下面を構成する一方の第１シート６１が位置決め板５１に載置されて傾斜姿勢となってしまう。つまり、位置決め板５１がドレン蒸発体６０のいずれかの第２シート６２の後端部における相互間に進入するので、ドレン蒸発体６０を前後反転させた状態でドレン皿５０に配設されることを防止することができる。
【００４１】
上記ドレン水蒸発装置４０によれば、第１送風ファン７１がドレン蒸発体６０における第２シート６２の後端部の上方部に設けられ、第２送風ファン７２がドレン蒸発体６０における第２シート６２の後方部に設けられているので、これら第１送風ファン７１及び第２送風ファン７２が駆動することにより、ドレン蒸発体６０に進入して第２シート６２相互間を通過する空気（外気）の風量を十分に確保することができるとともに、排出ダクト３２を通じて蒸発に供した空気を排出することができる。また、第１送風ファン７１がドレン蒸発体６０における第２シート６２の後端部の上方部に設けられ、第２送風ファン７２がドレン蒸発体６０における第２シート６２の後方部に設けられていることで、ドレン蒸発体６０を容易に前方に向けて取り出すことができるので、該ドレン蒸発体６０の交換等を容易に行うことができる。
【００４２】
以上、本発明の好適な実施の形態について説明したが、本発明はこれに限定されるものではなく、種々の変更を行うことができる。
【００４３】
上述した実施の形態では、ドレン蒸発体６０における第２シート６２は、後端部が第１シート６１よりも後方に突出していたが、本発明においては、第２シートの後端部が第１シートよりも後方に突出していなくてもよい。つまり、第２シートの後端部の上方部及び下方部が露出されていなくてもよい。
【００４４】
上述した実施の形態では、送風手段は第１送風ファン７１及び第２送風ファン７２を有していたが、本発明においては、送風手段は、第１送風ファン７１又は第２送風ファン７２を有しているだけでもよい。また、第１送風ファン７１は第２シート６２の後端部の上方部に設けられ、第２送風ファン７２が第２シート６２の後方部に設けられていたが、本発明においては、送風手段の配設個所は特に限定されない。
【符号の説明】
【００４５】
１０ａ  収容室
４０  ドレン水蒸発装置
５０  ドレン皿
５０ａ  皿底部
５０ｂ  皿側部
５１  位置決め板
６０  ドレン蒸発体
６１  第１シート
６２  第２シート
７０  送風ユニット
７１  第１送風ファン
７２  第２送風ファン
【図１】
2016169926.tif 000003
【図２】
2016169926.tif 000004
【図３】
2016169926.tif 000005